(57)【特許請求の範囲】
【請求項１】
眼鏡レンズを載置するためのレンズ載置台であって、測定光学系の測定光が通る開口を持つレンズ載置台と、
眼鏡フレームの左リム及び右リムが当接される当接平面を持ち、ガイド機構により前記レンズ載置台の方向(この方向を前方といい、その反対方向を後方という)へ移動するフレーム支持部材を有するフレーム支持部と、を備え、
前記フレーム支持部材を移動させることによって、前記フレーム支持部材に支持された眼鏡フレームに取り付けられた眼鏡レンズと、前記レンズ載置台の前記開口と、の位置関係を調整し、眼鏡レンズの光学特性を測定するレンズメータであって、
前記フレーム支持部は、前記フレーム支持部材に設けられた切り欠き部であって、前記レンズ載置台が前記フレーム支持部材の前記当接平面より後方に入り込むための切り欠き部と、前記切り欠き部の少なくとも一部に設けられたパッドであって、リムが前記切り欠き部に入り込まないようにリムが当接するためのパッドと、前記パッドが前記当接平面から後方へ移動するように前記パッドを移動するためのパッド移動機構と、
を有することを特徴とするレンズメータ。
【請求項２】
請求項１のレンズメータにおいて、
前記パッド移動機構は、前記パッドが位置する前記当接平面から後方への前記パッドの移動を規制する規制機構と、該規制機構による規制を解除する解除機構と、を持つことを特徴とするレンズメータ。
【請求項３】
請求項２のレンズメータにおいて、
前記パッド移動機構は、前記パッドが前記当接平面より前方向へ移動しないように停止するためのストッパ機構と、前記パッドを前方へ付勢する付勢部材と、を有し、
前記規制機構は、前記ストッパ機構による制限位置から後方への前記パッドの移動を規制するために、前記パッドの後部に当接する規制部材を有し、
前記解除機構は、前記規制部材がパッドの後部に当接する第１位置と前記パッドの後部から外れる第２位置とに前記規制部材を移動する規制部材移動機構を有する、ことを特徴とするレンズメータ。
【発明の詳細な説明】
【技術分野】
【０００１】
本発明は、測定対象レンズの光学特性を測定するためのレンズメータに関する。
【背景技術】
【０００２】
測定光束をレンズに投光し，レンズを透過した測定光束を受光素子で受光することによってレンズの光学特性を得るレンズメータが知られている（例えば、特許文献１参照）。このようなレンズメータを用いて眼鏡フレームに枠入れされている眼鏡レンズを測定する場合、検者は、測定光学系の測定光軸及び測定光が通る孔を持つノーズピースとも呼ばれるレンズ載置台上にレンズを配置する（載せる）。そして、検者は、フルリムフレーム等の場合はフレーム（左リム及び右リム）を、リムレスフレーム等の場合は枠入れされているレンズ（左レンズ及び右レンズ）を、レンズ載置台に対して近寄る方向（前方向）及び遠ざかる方向（後方向）に摺動（移動）可能なフレーム支持部材の当接平面に当接させてその動きを制限させる。そして、検者は、この状態を維持したままフレーム支持部材とフレーム及びレンズとを移動させることにより、レンズの所期する箇所（位置又は領域）を測定する。このような測定動作により、累進レンズであっても、遠用部及び近用部の位置と加入度数とを測定できる。
【先行技術文献】
【特許文献】
【０００３】
【特許文献１】特開２００６ー２９２６５０号公報
【発明の概要】
【発明が解決しようとする課題】
【０００４】
近年、カニ目フレームと呼ばれる上下幅の狭いフレームが登場してきており、このようなフレーム（リム）に累進レンズを枠入れする場合が増えてきている。このようなフレームに累進レンズが枠入れされていると、フレームの形状(いわゆる玉型)に加工されたレンズの下方（眼鏡を装用した状態での下方をいう）のエッジ（下端）付近に近用部が位置してしまう。このため、上記のようなレンズメータでレンズの下端の近用部を測定しようとすると、フレーム支持部材がレンズ載置台に接触（干渉）してしまい、それ以上フレーム支持部材（フレーム及びレンズ）を前方向に移動できない。
【０００５】
そこで、このような問題の対策として、フレーム支持部材からフレームを離してレンズの下端の近用部を測定する方法がある。しかし、フレーム支持部材からフレームを離すと、フレームを安定して保持できなくなる。そうすると、レンズの乱視軸角度がずれて測定されたり、フレーム支持部材の摺動（移動）量から求めていた累進帯の長さ（遠用部から近用部までの距離）が得られなかったり、等の問題がある。
【０００６】
また、別の対策として、フレーム支持部材のレンズ載置台との接触（干渉）部分にレンズ載置台が収納されるような窪み（凹部）を設ける方法がある。しかし、フレーム支持部材にフレームを当接させる際に窪みにフレームが嵌ってしまうと、やはりフレームを安定して保持できなくなる。
【０００７】
本発明は、上記従来技術の課題に鑑み、上下幅の狭いフレームに枠入れされている累進レンズの近用部であっても精度良く測定できるレンズメータを提供することを技術課題とする。
【課題を解決するための手段】
【０００８】
上記課題を解決するために、本発明は、以下のような構成を有することを特徴とする。
（１）  本開示の第１態様に係るレンズメータは、眼鏡レンズを載置するためのレンズ載置台であって、測定光学系の測定光が通る開口を持つレンズ載置台と、眼鏡フレームの左リム及び右リムが当接される当接平面を持ち、ガイド機構により前記レンズ載置台の方向(この方向を前方といい、その反対方向を後方という)へ移動するフレーム支持部材を有するフレーム支持部と、を備え、前記フレーム支持部材を移動させることによって、前記フレーム支持部材に支持された眼鏡フレームに取り付けられた眼鏡レンズと、前記レンズ載置台の前記開口と、の位置関係を調整し、眼鏡レンズの光学特性を測定するレンズメータであって、前記フレーム支持部は、前記フレーム支持板に設けられた切り欠き部であって、前記レンズ載置台が前記フレーム支持部材の前記当接平面より後方に入り込むための切り欠き部と、前記切り欠き部の少なくとも一部に設けられたパッドであって、リムが前記切り欠き部に入り込まないようにリムが当接するためのパッドと、前記パッドが前記当接平面から後方へ移動するように前記パッドを移動するためのパッド移動機構と、
を有することを特徴とする。
【発明の効果】
【０００９】
本発明によれば、上下幅の狭いフレームに枠入れされている累進レンズの近用部であっても精度良く測定できる。
【発明を実施するための形態】
【００１０】
本発明の実施形態を図面に基づいて説明する。図１は、本実施形態のレンズメータの概略外観図である。レンズメータ１００は、測定光学系１０（図２参照）の一部（本実施形態では測定光束の受光光学系）を収納すると共に上部にレンズ載置台４が配置されている第１収納部１、液晶ディスプレイ等で構成されている表示部２、操作信号等を入力するスイッチ部３、フレーム支持部材５、測定光学系１０の一部（本実施形態では測定光束の投光光学系）を収納すると共に下部にレンズ押え７及び印点ユニット８が配置されている第２収納部６、データ読み込み用のＲＥＡＤスイッチ９、装置の電源のＯＮ／ＯＦＦを切換えるための電源スイッチ９ａ、等を備えている。なお、第１収納部１に投光光学系が収納されていると共に、第２収納部６に受光光学系が収納されていてもよい。
【００１１】
表示部２には、測定情報、アライメント情報、等が表示される。スイッチ部３は、表示部２上に表示されるスイッチ表示に対応して配置されており、スイッチ部３の操作によって測定モードの切換え等が行われる。
【００１２】
レンズ載置台４は、円形の孔である開口４ａが形成された筒状部材４ｃと、筒状部材４ｃの下部で外側に突出するように形成されたフランジ４ｂと、を有する（図２参照）。測定光学系１０の測定光軸ＭＡ及び測定光は開口４ａを通る。
【００１３】
フレーム支持部材５は、レンズ載置台４に対して近寄る方向（前方向）及び遠ざかる方向（後方向）（図１中矢印Ａ方向）に摺動（移動）可能に配置されている。フルリムフレームである眼鏡フレームＦに枠入れされている眼鏡レンズＬＥの測定では、フレーム支持部材５にフレームＦ（左リム及び右リム）の下端（フレームＦ及びレンズＬＥの上下とは、眼鏡装用時の上下をいう）が当接されることにより、フレームＦを安定して保持できる。このため、レンズＬＥの乱視軸角度がずれることがなくフレームＦを移動でき、レンズＬＥの乱視軸角度を精度良く測定できる。同様に、レンズＬＥが累進レンズである場合には、その遠用部及び近用部を精度良く測定できる。なお、リムレスフレームに枠入れされている眼鏡レンズＬＥの測定では、フレーム支持部材５にレンズＬＥの下方のエッジ（下端）が当接される。以下の説明では、フルリムフレームであるフレームＦに枠入れされているレンズＬＥの測定について説明する。
【００１４】
レンズ押え７は、レンズ載置台４の上方に配置されており、レンズ押え７が降ろされることにより、レンズ載置台４上のレンズＬＥを安定して保持できる。印点ユニット８は、レンズ載置台４の上方に配置されており、印点ユニット８が降ろされることにより、レンズ載置台４上のレンズＬＥにマーキング（印点）が施される。
【００１５】
スイッチ９は、これが押されることにより、測定値が表示部２にホールド表示されると共に、測定値が装置内部のメモリ２１（図２参照）に記憶される。
【００１６】
図２は、本装置の光学系及び制御系の概略構成図である。測定光学系１０の測定光軸ＭＡ上には、各光学部材が配置されている。測定光学系１０は、発光ダイオード等の測定光源１１、コリメータレンズ１２、全反射ミラー１３、等を備えている投光光学系と、多数の測定指標が形成されている指標板１４、二次元受光センサ（イメージセンサ）１５、等を備えている受光光学系と、からなっている。指標板１４は、レンズ載置台４の孔（開口４ａ）内で装置本体の指標板保持部材１６によって保持されており、指標板１４の上方にレンズ載置台４の開口４ａが位置している。開口４ａは、直径８ｍｍ程の円形である。
【００１７】
図示は略すが、指標板１４には、多数の円形孔が格子状に形成されている。これらの孔が、測定指標となっている。光源１１からの測定光束は、コリメータレンズ１２によって平行光束とされ、ミラー１３によって反射され、レンズ載置台４上に配置されているレンズＬＥに投光される。レンズＬＥを透過した光束の内、開口４ａと指標板１４の孔とを通過した光束が、受光センサ１５に入射する（受光センサが指標像を受像する）。
【００１８】
受光センサ１５からの出力信号は、演算制御ユニット２０に入力される。演算制御ユニット２０は、レンズＬＥが測定光学系１０の光路上に置かれていない場合に受光センサ１５が受像した各指標像の座標位置を基準位置にし、屈折力を持つレンズＬＥが測定光学系１０の光路上に置かれた場合に受光センサ１５が受像した各視標像の基準位置に対する変化に基づき、レンズＬＥの光学特性（球面度数Ｓ、乱視度数Ｃ、乱視軸角度Ａ、プリズム値Δ）を求める。なお、レンズＬＥの光学特性の測定に関しては、特開２００６ー２９２６５０に開示されている技術が利用できる。
【００１９】
このような測定光学系により、開口４ａに対応するレンズＬＥの測定領域（複数の測定位置）の光学特性分布が得られる。このため、累進レンズの測定においては、現在の測定領域内に累進帯と遠用部と近用部との何れがあるかが効率良く検出できる。演算制御ユニット２０は、受光センサ１５からの出力信号に基づき、測定領域内の光学特性分布を所定の時間間隔毎に連続的に得、メモリ２１に記憶する。
【００２０】
次に、フレーム支持部材５及びレンズ押え７の構成について説明する。図３は、フレーム支持部材５の分解図である。また、図４は、レンズ載置台４、フレーム支持部材５及びレンズ押え７の側方断面図である。
【００２１】
フレーム支持部材５は、フレームＦが当接される当接平面を前面に持つフレーム支持板である当接部５１、第１収納部１に対する干渉を避けるために当接部５１に形成された切り欠き部である凹部５２、当接部５１内（当接部５１の前面である当接平面よりも後方）にレンズ載置台４（筒状部材４ｃ）を収納する（入り込ませる）ために当接部５１に形成された切り欠き部である開口５３、開口５３の左右両側に形成されて後述するパッド６１の前方への移動を規制するストッパ５４、当接部５１の移動をガイドするために当接部５１から後方に延びるガイドシャフト５５、等を備えている。
【００２２】
凹部５２は、当接部５１の左右中央の下部に形成されており、第１収納部１の上部の横幅と同じか若干大きい横幅を持っている。開口５３は、当接部５１の中央部で、且つ、当接部５１の前方への移動によってレンズ載置台４が収納される位置に形成されている。開口５３の切り欠き上端は、レンズ載置台４（筒状部材４ｃ）の上端より上で、且つ、レンズ載置台４の上端から１ｍｍ以内の距離にて当接部５１に形成され、開口５３の上にもフレームのリムが当接する当接面が確保されている。また、開口５３の切り欠きの左右端の幅は、筒状部材４ｃが無理なく入り込む幅であれば良く、例えば、筒状部材４ｃの左端及び右端からそれぞれ１ｍｍ以内の距離にて形成されている。なお、開口５３の下部（下方）には、フランジ４ｂを収納するための切り欠き部としての空間Ｓが凹部５２に繋がるように形成されている。すなわち、開口５３は、空間Ｓに繋げられて、空間Ｓの上に形成されている。ガイドシャフト５５は、フレーム支持部材５の移動方向（前後方向）に沿って延びている。ガイドシャフト５５は、当接部５１の前後方向の移動をガイドするガイド機構を構成し、前後移動可能にレンズメータ１００の筐体に保持されている。ガイドシャフト５５は、検者が手で持つことがき、検者による手動操作によって前後移動される。
【００２３】
また、フレーム支持部材５は、フレームＦの鼻当てが当接される鼻当て支持部材５０を備えている。鼻当て支持部材５０は、フレーム支持部材５に対して左右方向に移動可能にフレーム支持部材５によって保持されている。
【００２４】
上記のように、切り欠き部である空間Ｓ及び開口５３は、フレームＦの左右リムを当接部５１に当接させた状態で、レンズのエッジ（当接部５１側に位置するエッジ）に近いポイントを測定すべくレンズをレンズ載置台４上に位置させたときに、レンズ載置台４が当接部５１の当接平面より後方に入り込むように、当接部５１に形成されている。しかし、レンズのエッジに近いポイントを測定しない場合には（単焦点レンズの中央を測定する場合、又は、累進レンズの遠用部を測定する場合）、開口５３がそのままであると、レンズ載置台４の上端より下方に位置するリムが開口５３に入り込み、フレームＦの左リム及び右リムを同一面に位置させることができなくなる。これを防止するために、フレームのリムが開口５３に入り込まないようにリムが当接するパッド６１を有するパッド部６０がフレーム支持部材５に設けられている。
【００２５】
本実施形態のパッド部６０は、開口５３に嵌合する方向（前方向）と開口５３から分離する方向（後方向）とにパッド６１を移動可能にするパッド移動機構と、を備える。パッド移動機構は、パッド６１の開口５３から分離する方向への移動を規制する規制機構、規制機構によるパッド６１の開口５３から分離する方向への移動の規制を解除する解除機構、等を備えている。
【００２６】
パッド部６０は、開口５３に嵌合された場合に当接部５１の前面の一部を形成する前面を持つ（当接部５１の前面が平面になるような前面を持つ）パッド６１、ストッパ５４に当接することによってパッド６１がそれ以上前方に移動しないようにするためにパッド６１の側部から左右両側に延びる凸部６２、パッド６１の後面から後方に延びる部材６３、上下方向（略垂直方向）に移動可能な規制部材６４、規制部材６４の下部に回転可能に保持されている回転部材であるローラ６５、ローラ６５を規制部材６４に固定するためのピン６６、パッド６１を前方に付勢する付勢部材であるバネ６７ａ、規制部材６４を下方に付勢するバネ６７ｂ、パッド６１、規制部材６４、バネ６７ａ、バネ６７ｂ、等を後方から保持してパッド部６０をフレーム支持部材５（当接部５１）に固定するための背面板６８、背面板６８をフレーム支持部材５（当接部５１）に固定するためのネジ６９、等を備えている。なお、本実施形態では、凸部６２はパッド６１の左右両側に設けられているが、少なくとも左右一方にあればよい。また、左右両方又は一方ではなく上方でもよい。また、凸部６２の位置に伴ってストッパ５４の位置が定められていればよい。
【００２７】
パッド６１は、フレームＦが当接された場合にフレームＦの位置がずれないように平板状に形成されている。凸部６２は、ストッパ５４に当接することにより、バネ６７ａによる前方への付勢があってもパッド６１（の前面）が当接部５１の前面から突出しないように形成されている。言い換えると、ストッパ５４及び凸部６２は、当接部５１の前面とパッド６１の前面とを略同一平面にする役割を持つ。部材６３は、パッド６１の後面の中央部に配置されており、パッド６１の前面が当接部５１の前面と略一致したときに規制部材６４の前板部６４ａに当接する長さとされている。規制部材６４は、前板部６４ａ、前板部６４ａと上部で繋がっている後板部６４ｂ、ローラ６５がピン６６によって固定されるローラ保持部６４ｃ、等を備えている。前板部６４ａは、部材６３と当接することにより、パッド６１を後方に移動させない（規制する）役割を持つ。前板部６４ａが上方に移動して（詳細は後述する）部材６３の後方から外れると、部材６３（パッド６１）は後方に移動可能となる。そして、部材６３は、後板部６４ｂに当接するまで後方に移動する。従って、部材６３が後板部６４ｂに当接するまで後方に移動する距離が、パッド６１が開口６３から分離して後方に移動する距離となる。ローラ６５は、ローラ保持部６４ｃに回転可能に保持されている。バネ６７ａは、パッド６１に対して左右（横方向）に２本配置されており、一端がパッド６１に固定されており、他端が背面板６８に固定（保持）されている。バネ６７ｂは、規制部材６４に対して縦方向に１本配置されており、一端が規制部材６４に固定されており、他端が背面板６８に固定されている。背面板６８は、規制部材６４の上下方向の移動をガイドするために上下方向に延びるガイド溝、バネ６７ａ及び６７ｂの各固定部、ネジ６９を通すための孔、等を備えている。
【００２８】
フレーム支持部材５は、第１収納部１上に載せられて前後方向（図４中矢印Ｂ方向）に摺動（移動）される。ガイドシャフト５５の後部には、ガイドシャフト５５に当接するローラ５６と、ローラ５６の回転量を検出するエンコーダ５７と、が設けられている。ガイドシャフト５５にはラックが形成され、ローラ５６にはラックに噛み合うピニオンが形成されている。ガイドシャフト５５が前後移動されると、ローラ５６が回転される。したがって、フレーム支持部材５（当接部５１）の移動に伴ってガイドシャフト５５が移動し、ガイドシャフト５５の移動量がエンコーダ５７によって検出され、その検出信号が演算制御ユニット２０に送られる。これにより、フレーム支持部材５の位置（移動量）が演算制御ユニット２０によって把握される。フレーム支持部材５の位置情報（移動情報）は、累進レンズの遠用部から近用部までの距離、等の測定に用いられる。なお、ガイドシャフト５５の位置（移動量）は、周知の機構によって検出するものであってもよい。
【００２９】
上記のように規制機構は、部材６３、規制部材６４、バネ６７ｂ、背面板６８、ネジ６９等により構成される。解除機構は、規制部材６４がパッド６１の後部（部材６３）に当接する第１位置とパッド６１の後部から外れる第２位置とに規制部材６４を移動する規制部材移動機構を持つ。規制部材移動機構は、規制部材６４を上下移動可能に保持する背面板６８の他、本実施形態ではバネ６７ｂ、ローラ６５等から構成されている。なお、パッド移動機構は、バネ６７ａを含み、また、パッド６１の表面が当接平面より前方向へ移動しないように規制するためのストッパ機構を構成するストッパ５４及び凸部６２を含む。
【００３０】
レンズ押え（レンズ押え部材）７は、レンズＬＥの表面に当接される少なくとも３つのパッド７１、パッド７１を保持するパッド保持部材７２、パッド保持部材７２を前後方向（図４中矢印Ｂ方向）に移動可能に支持するレンズ押え支持部材７３、レンズ押え支持部材７３に接続されていると共に第２収納部６の下部に固定されているアーム７４、レンズ押え支持部材７３内に配置されてパッド保持部材７２を後方に付勢する付勢部材であるバネ７５、バネ７５によって後方に付勢されているパッド保持部材７２が所定の状態（パッド７１が測定光軸ＭＡを囲む状態）となるようにパッド保持部材７２の後方への移動を規制するストッパ、等を備えている。バネ７５は、パッド７１がレンズＬＥを保持した状態を維持できる程度の付勢力であって、パッド７１（パッド保持部材７２）がフレーム支持部材５（当接部５１）の前方への移動によって共に前方に移動できる程度の付勢力を持つ。
【００３１】
次に、規制部材６４の上下方向への移動と、パッド６１の後方への移動の規制と規制の解除と、について説明する。図４（ａ）は、パッド６１の後方への移動の規制状態を示しており、図４（ｂ）は、パッド６１の後方への移動の規制の解除状態を示している。
【００３２】
図４（ａ）に示されているように、フレーム支持部材５が第１収納部１に載せられている場合、ローラ６５は、空間Ｓ内に位置している。従って、規制部材６４は下方に位置した状態となり、部材６３の後部が前板部６４ａに当接した状態となる。この状態では、部材６３は、後方に移動できないことなり、パッド６１の後方への移動が規制されることとなる。
【００３３】
図４（ｂ）の状態から、さらに、フレーム支持部材５が前方に移動されると、レンズ載置台４がパッド６１に当接するようになる（図示は略す）。このとき、フランジ４ｂが空間Ｓ内に入り、ローラ６５がフランジ４ｂ上に載り上げる。ローラ６５が上方に移動することにより、規制部材６４（前板部６４ａ）も上方に移動し、部材６３の後部から前板部６４ａが外れる。これにより、パッド６１の後方への移動の規制が解除され、パッド６１は、レンズ載置台４に押されて後方に移動する。このとき、レンズ押え７のパッド７１及びパッド保持部７２は、フレーム支持部材５の前方への移動に伴って前方に移動される。なお、パッド７１は、レンズＬＥを上方から押えた状態を維持している。
【００３４】
さらに、フレーム支持部材５が前方に移動されると、図４（ｂ）に示されているように、部材６３が後板部６４ｂに当接し、これ以上後方に移動できないように止められる。従って、パッド６１は、開口５３内でこれ以上後方に移動できなくなる。このように、パッド６１が図４（ｂ）の状態に到ることにより、開口５３内にレンズ載置台４が収納される。
【００３５】
このようにして、規制部材６４の上下方向への移動により、パッド６１の後方への移動の規制と規制の解除とが行われる。すなわち、前述されている移動機構、規制機構及び解除機構がパッド部６０に備わっていることとなる。
【００３６】
なお、パッド６１の後方への移動距離（可動範囲）は、前板部６４ａと後板部６４ｂとの間の前後方向の距離によって定められている。すなわち、パッド６１の後方への移動距離は、レンズ載置台４を収納する空間の奥行方向の長さ（深さ）となる。本実施形態では、パッド６１の後方への移動距離は、フレーム支持部材５（当接部５１）が開口４ａにわずか（１ｍｍ程度）掛るようような長さとされている。なお、前方向に移動される当接部５１（フレーム支持板）の当接平面は、少なくともレンズ載置台４の開口４ａに達するまで移動可能にされていれば良い。これにより、図４（ｂ）に示されるように、眼鏡フレームのリムは開口５３の上に位置する当接部５１に当接された状態で、累進レンズのエッジ（エッジはフレ当接部５１側に位置する）に近い近用ポイントを測定することが可能となる。
【００３７】
また、パッド６１の後方への移動の規制を解除する位置は、フランジ４ｂの大きさ（外側に突出する長さ）と、ローラ６５の位置と、によって定められている。本実施形態では、当接部５１（パッド６１）の前面がレンズ載置台４（筒状部材４ｃ）に当接する寸前でパッド６１の後方への移動の規制が解除されるようになっている。すなわち、当接部６１（パッド６１）の前面がレンズ載置台４（筒状部材４ｃ）に当接する寸前に、ローラ６５がフランジ４ｂの上に載り上げ始めるように、フランジ４ｂの大きさとローラ６５の位置とが定められている。
【００３８】
次に、以上のような構成を有するレンズメータにおいて、累進レンズの測定動作を中心に説明する。なお、以下では、フレームＦ（リム）は上下幅の狭いフレームとし、累進レンズＬＥの近用部はレンズＬＥの下方のエッジ（下端）付近に位置している（フレームＦの下部付近に近用部が位置している）ものとする。
【００３９】
検者は、スイッチ部３に配置されているスイッチを操作し、累進レンズ測定モードを設定する。レンズ載置台４上にフレームＦに枠入れされているレンズＬＥを置き（載せ）、フレームＦの左リム及び右リムの下部をフレーム支持部材５（当接部５１）の前面に当接させる。開口４ａ上には、レンズＬＥの遠用部と思われる箇所を載せておく。そして、検者は、フレームＦとフレーム支持部材５とを両手で保持したまま、フレーム支持部材５を手前側（レンズ載置台４側）に移動させる。レンズ載置台４上をレンズＬＥが動くことに伴い、レンズＬＥの光学特性（球面度数Ｓ（又は等価球面度数Ｓ）、乱視度数Ｃ、乱視軸角度Ａ、プリズム値Δ）が逐次測定される。なお、累進レンズ測定モードでは、表示部２には、累進レンズをイメージさせる累進帯のグラフィックを持つマーク、現在の測定領域を示すマーク、等が表示されている。検者は、これらのマークを利用してレンズＬＥの所期する箇所を測定光学系１０（測定光軸ＭＡ）にアライメントしながら測定を行う。
【００４０】
累進レンズの測定は、先ず、遠用部の位置を特定して遠用部の度数を測定し、遠用部の測定後に近用部の位置を特定して近用部の度数を測定し、近用部の測定後に遠用部の度数と近用部の度数とに基づいて加入度数を得る。
【００４１】
レンズＬＥの遠用部の光学特性が測定されてメモリ２１に記憶されると、レンズＬＥの近用部の測定ステップに移行される。近用部に測定領域が位置するように、フレーム支持部材５と共にフレームＦ及びレンズＬＥが手前側に移動される。そして、レンズＬＥの下端付近が開口４ａ上に近づくと、フレーム支持部材５とレンズ載置台４とが接触（干渉）する。このとき、レンズ載置台４と接触するパッド６１の後方への移動の規制が解除され、フレーム支持部材５の前方への移動に伴って、レンズ載置台４がフレーム支持部材５（開口５３）内に入っていく。これにより、レンズＬＥの下端付近にある近用部を測定できる。
【００４２】
レンズＬＥの近用部の光学特性が測定されると、演算制御ユニット２０は、遠用部の度数と近用部の度数とに基づいて加入度数を求める。また、遠用部から近用部までの距離をエンコーダ５７からの信号に基づいて求める。これらの測定・演算結果は、メモリ２１に記憶される。また、測定・演算結果は、表示部２に表示される。
【００４３】
以上のようにして、上下幅の狭いフレームに枠入れされている累進レンズの近用部（の光学特性）を精度良く測定できる。具体的には、開口４ａ上にレンズＬＥの下端付近を位置させることができることにより、近用部を測定できる。また、フレーム支持部材５からフレームＦを離すことなく遠用部測定から近用部測定まで行えるため、近用部の位置と累進帯の長さ（遠用部から近用部までの距離）とを測定できる。
【００４４】
また、パッド６１の後方への移動の規制機構と規制の解除機構とが設けられていることにより、フレームＦ（左リム及び右リム）がフレーム支持部材５に当接される際には、フレーム支持部材５（当接部５１）の前面は略同一な平面となっているため、フレームＦがずれることがない。そして、近用部がレンズＬＥの下端付近にある場合の測定時にだけ、レンズ載置台４に当接したパッド６１が後方に移動し、近用部を測定できる。すなわち、単焦点レンズの中央部分を測定する場合、又は、累進レンズの遠用部を測定する場合には、レンズ載置台４（筒状部材４ｃ）から当接部５１は離れている。この場合には、パッド６１の表面は開口５３を塞ぐように位置しているため、レンズ載置台４に載せられたレンズＬＥのリムが、切り欠き部である開口５３に入り込むことが防止される。これにより、フレームＦの左リム及び右リムは当接部５１の同一平面に当接され、レンズ載置台４に載せられたレンズＬＥの乱視軸角度を精度良く測定できる。そして、必要に応じて、上下幅の狭いフレームＦ（リム）に枠入れされている累進レンズＬＥの近用部を測定できる。また、このようなパッド６１の移動の規制と規制の解除とがフレーム支持部材５の移動に合わせて行われることにより、検者が解除操作等をする必要がなく、レンズＬＥを効率良く測定できる。
【００４５】
なお、以上の説明では、パッド６１の後面に部材６３が設けられているが、これに限るものではない。例えば、部材６３は設けられず、規制部材６４の前板部６４ａがパッド６１の後面まで延ばされていてもよい。この場合は、規制部材６４の前板部６４ａがパッド６１の後面から外れるまで上方に移動されれば規制が解除される。
【００４６】
また、以上の説明では、パッド６１を付勢するバネ６７ａが用いられているが、バネ６７ａは無くてもよい。例えば、パッド６１の前後方向への移動をフレーム支持部材５の前後方向の移動に伴って行う機構が設けられていればよい。
【００４７】
また、以上の説明では、パッド６１の後方への移動の規制が、ローラ６５がフランジ４ｂ上に載り上げることによってフレーム支持部材５の摺動（移動）位置が検知されて解除される機構（検知機構及び解除機構）とされているが、これに限るものではない。検知機構及び解除機構は、機械的な構成に限らず、フレーム支持部材５の位置をセンサによって検知し、その検知結果（センサの出力信号）に基づいて規制を解除する構成（検知機構及び解除機構）とされていてもよい。例えば、検知機構は、フレーム支持部材５（当接部５１、ガイドシャフト５５、等）の位置をエンコーダ５７等の位置センサによって検知する構成であってもよい。また、光学的センサによって検知する構成、磁気的センサによって検知する構成、等であってもよい。検知機構は、当接部５１が所定位置（例えば、当接部５１の表面がレンズ載置台４の筒状部材４ｃに当接する位置又は当接の寸前位置）に移動されたことを検知する。規制部材６４を移動するための解除機構として、モータ又はソレノイド等の駆動源を使用し、検知機構の検知結果に基づいて駆動源が駆動され、規制部材６４がパッド６１の後部に当接する位置から外れる位置に移動される構成としても良い。この場合、パッド６１はバネ６７ａにより前方向に付勢され、パッド６１の表面は当接部５１の当接平面より前方向へ移動しないようにストッパ機構（ストッパ５４、凸部６２）により停止されている。
【００４８】
また、バネ６７ａ及び規制部材６４を省き、規制機構及び解除機構を含むパッド移動機構をモータ及びスライド機構等によって構成しても良い。この構成においては、検知機構の検知結果に基づいてモータの駆動が演算制御ユニット２０により制御され、モータの駆動によりパッド６１が後方へ移動される。
【００４９】
また、以上の説明では、パッド６１の後方への移動の規制がフレーム支持部材５の移動に伴って解除される構成（解除機構）とされているが、これに限るものではない。検者が手動によって解除する構成であってもよい。例えば、規制部材６４に連結されたレバーを検者が操作することによって規制部材６４が上方に移動してパッド６１の後方への移動の規制が解除される構成であってもよい。
【図面の簡単な説明】
【００５０】
【図１】本発明の実施形態のレンズメータの概略外観図である。
【図２】本装置の光学系及び制御系の概略構成図である。
【図３】フレーム支持部材の分解図である。
【図４】レンズ載置台、フレーム支持部材及びレンズ押えの側方断面図である。
【符号の説明】
【００５１】
４  レンズ載置台
５  フレーム支持部材
７  レンズ押え
１０  測定光学系
２０  演算制御ユニット
５１  当接部
５３  開口
６０  パッド部
６１  パッド
６３  部材
６４  規制部材
６５  ローラ
１００  レンズメータ
【図１】
0005862138.tif 000002
【図２】
0005862138.tif 000003
【図３】
0005862138.tif 000004
【図４】
0005862138.tif 000005